【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】  金属性基板と、
磁性材料からなる少なくとも１つのスパッタ蒸着膜とを含む記録媒体であって、
該記録媒体は、約０．０１０インチよりも小さい厚さを有し、該基板は、該厚さの少なくとも８０％を占め、該スパッタ蒸着膜は、高面積密度のデジタルデータを記録および再生するように改造される、記録媒体。
【請求項２】  前記基板は、ニッケル、ニッケル合金、スチール、ステンレス鋼、サンドビックスチール、ベリリウム、ベリリウム合金、銅、銅合金、真鍮、真鍮合金、青銅、チタン、チタン合金、アルミニウム、およびアルミニウム合金からなる基板群から選択される、請求項１に記載の記録媒体。
【請求項３】  前記記録媒体の厚さが約０．００５インチより小さい、請求項１に記載の記録媒体。
【請求項４】  前記記録媒体の厚さが約０．００２インチより小さい、請求項１に記載の記録媒体。
【請求項５】  前記基板の厚さが約０．０００１インチ〜約０．０１０インチの範囲である、請求項１に記載の記録媒体。
【請求項６】  前記記録媒体は、前記基板と前記磁性膜からなる層との間に堆積された少なくとも主にクロム、白金または白金合金からなる層をさらに含み、該磁性膜がコバルトを含み、そして該記録媒体は、該磁性膜からなる層の上に堆積された保護膜からなる層をさらに含み、該保護膜からなる層が炭素を含む、請求項１に記載の記録媒体。
【請求項７】  金属性基板と、
磁性材料からなる膜と、
該金属性基板と該磁性材料からなる膜との間に堆積された、少なくとも主にクロムからなる層と、
該磁性層からなる膜の上に堆積された保護膜からなる層と、
を実質的に含む、記録媒体。
【請求項８】  前記磁性材料からなる膜がコバルトを含み、前記保護膜からなる層が炭素を含む、請求項７に記載の記録媒体。
【請求項９】  約０．００８インチよりも小さい厚さを有する金属性基板を提供する工程と、
磁性材料からなる層が、該金属性基板上に、または該金属性基板上の中間材料の上にスパッタ蒸着する工程と、
該媒体全体の厚さが約０．０１０インチよりも小さくなるように該磁性材料からなる層の上に保護膜をスパッタ蒸着する工程と、
を含む、記録媒体を製造する方法。
【請求項１０】  前記中間材料が前記磁性材料からなる膜を堆積する前に、前記基板上に堆積されるスパッタ蒸着金属層を含み、該基板が、ニッケル、ニッケル合金、スチール、ステンレス鋼、サンドビックスチール、ベリリウム、ベリリウム合金、銅、銅合金、真鍮、青銅、チタン、チタン合金、アルミニウム、およびアルミニウム合金からなる基板群から選択され、そして、前記媒体の厚さが約０．００５インチより小さい、請求項９に記載の方法。
【請求項１１】  第１面および第２面を有する金属性ディスクであって、該ディスクが金属性基板、および磁性材料からなる少なくとも１つのスパッタ蒸着膜を含み、該ディスクが約０．０１０インチよりも小さい厚さを有し、該基板は、該厚さの少なくとも８０％を占め、そして該スパッタ蒸着膜が高面積密度のデジタルデータを記録および再生するように改造される、金属性ディスクと、
該ディスクの該第１面へ向かって位置するガスベアリング表面を有する第１スライダと、
該ディスクの該第２面へ向かって位置するガスベアリング表面を有する第２スライダであって、該スライダのうちの少なくとも１つが少なくとも１つの読み出しおよび／または書き込みトランスデューサを収納する、第２スライダと、
該ディスクに対して該第１スライダと実質的に反対側に該第２スライダを搭載し、該第２スライダが該ディスクへ近づくようにまたは離れるように可動するように該第２スライダを該ディスク方向へ促すための搭載システムと、
を含む、デジタル情報を読み出しおよび記録するためのシステム。
【請求項１２】  前記金属性基板が前記磁性材料からなる２つのスパッタ蒸着膜の間に配置される、請求項１１に記載のシステム。
【請求項１３】  前記搭載システムが、さらに前記ディスクに対して前記第１スライダの動きを抑制するために該第１スライダを堅固に搭載する、請求項１１に記載のシステム。
【請求項１４】  前記搭載システムが、さらに前記ディスクに対して前記第２スライダと実質的に反対側に該第１スライダを搭載し、該第１スライダが該ディスクへ近づくようにまたは離れるように可動するように該第１スライダを該ディスク方向へ促す、請求項１１に記載のシステム。
【請求項１５】  前記搭載システムは、さらに前記ディスクの面に対して少なくとも１つの回転自由度を前記第１スライダに提供し、該自由度がピッチ自由度またはロール自由度である、請求項１１または１８に記載のシステム。
【請求項１６】  前記搭載システムは、さらに前記ディスクの面に対して少なくとも１つの回転自由度を前記第２スライダに提供し、該自由度がピッチ自由度またはロール自由度である、請求項１１または１８に記載のシステム。
【請求項１７】  第１面および第２面を有する金属性ディスクであって、該ディスクが磁性材料からなる２つのスパッタ蒸着膜の間に位置する金属基板を含み、該ディスクが約０．０１０インチよりも小さい厚さを有し、該基板は、該厚さの少なくとも８０％を占め、該スパッタ蒸着膜が高面積密度のデジタルデータを記録および再生するように改造される、金属性ディスクと、
該ディスクの第１面へ向かって位置するガスベアリング表面を有する第１スライダと、
該ディスクの第２面へ向かって位置するガスベアリング表面を有する第２スライダであって、該スライダのうちの少なくとも１つが少なくとも１つの読み出しおよび／または書き込みトランスデューサを収納する、第２スライダと、
該ディスクに対して該第１スライダと実質的に反対側に該第２スライダを搭載し、そして該第２スライダが該ディスクへ近づくようにまたは離れるように可動するように、および機械的衝撃にさらされる場合および高速トラック−トゥ−トラックアクセス運動にさらされる場合に、該第１および第２スライダが該ディスクに衝突しにくいように、該第２スライダを該ディスク方向へ促す搭載システムと、
を含む、デジタル情報を読み出しおよび記録するためのシステム。
【請求項１８】  第１面および第２面を有する金属性ディスクであって、該ディスクが磁性材料からなる２つのスパッタ蒸着膜の間に位置する金属基板を含み、該ディスクが約０．０１０インチよりも小さい厚さを有し、該基板は、該厚さの少なくとも８０％を占め、該スパッタ蒸着膜が高面積密度のデジタルデータを記録および再生するように改造される、金属性ディスクと、
該ディスクの第１面へ向かって位置するガスベアリング表面を有する第１スライダと、
該ディスクの第２面へ向かって位置するガスベアリング表面を有する第２スライダであって、該スライダのうちの少なくとも１つが少なくとも１つの読み出しおよび／または書き込みトランスデューサを収納する、第２スライダと、
該ディスクに対して該第１スライダが実質的に該第２スライダの反対側となるように該第１および第２スライダを搭載する搭載システムであって、該搭載システムが該第１スライダが該ディスクへ近づくようにまたは離れるように稼動するように該第１スライダを該ディスク方向へ促し、該第２スライダが該ディスクへ近づくようにまたは離れるように可動するように該第２スライダを該ディスク方向へ促し、それにより、該システムが機械的衝撃にさらされる場合および高速トラック−トゥ−トラックアクセス動作にさらされる場合に、該第１および第２スライダが該ディスクに衝突しにくい、搭載システムと、
を含む、デジタル情報を読み出しおよび記録するためのシステム。
【請求項１９】  第１面および第２面を有する金属性ディスクであって、該ディスクが磁性材料からなる２つのスパッタ蒸着膜の間に位置する金属基板を含み、該ディスクが約０．０１０インチよりも小さい厚さを有し、該基板は、該厚さの少なくとも８０％を占め、該スパッタ蒸着膜が高面積密度のデジタルデータを記録および再生するように改造される、金属性ディスクと、
該ディスクの第１面へ向かって位置するガスベアリング表面を有する第１スライダと、
該ディスクの第２面へ向かって位置するガスベアリング表面を有する第２スライダであって、該スライダのうちの少なくとも１つが少なくとも１つの読み出しおよび／または書き込みトランスデューサを収納する、第２スライダと、
該ディスクに対して該第１スライダが実質的に該第２スライダの反対側となるように該第１および第２スライダを搭載する搭載システムであって、該搭載システムが該第１スライダに少なくとも１つの回転自由度を提供し、該搭載システムが該第２スライダが該ディスクへ近づくようにまたは離れるように可動するように該第２スライダを該ディスク方向へ促し、それにより、該システムが機械的衝撃にさらされる場合および高速トラック−トゥ−トラックアクセス運動にさらされる場合に、該第１および第２スライダが該ディスクに衝突しにくい、搭載システムと、
を含む、デジタル情報を読み出しおよび記録するためのシステム。
【請求項２０】 前記基板は、ニッケル、ニッケル合金、スチール、ステンレス鋼、サンドビックスチール、ベリリウム、ベリリウム合金、銅、銅合金、真鍮、真鍮合金、青銅、チタン、チタン合金、アルミニウム、およびアルミニウム合金からなる基板群から選択される、請求項１１に記載のシステム。
【請求項２１】  前記フレキシブル金属ディスクの厚さが約０．００５インチより小さい、請求項１１に記載のシステム。
【請求項２２】 前記フレキシブル金属ディスクの厚さが約０．００２インチより小さい、請求項１１に記載のシステム。
【請求項２３】  前記基板の厚さが約０．０００１インチ〜約０．０１０インチの範囲である、請求項１１に記載のシステム。
【請求項２４】  前記記録媒体は、前記基板と前記磁性膜からなる層との間に堆積された少なくとも主にクロム、白金または白金合金からなる層をさらに含み、該磁性膜がコバルトを含み、そして該記録媒体は、該磁性膜からなる層の上に堆積された保護膜からなる層をさらに含み、該保護膜からなる層が炭素を含む、請求項１１に記載のシステム。